(57)【要約】【課題】タッチパネル上に表示された画像のサイズの変更に係る操作をシームレスに行うことのできる画像表示装置を提供することを目的とする。【解決手段】本発明に係る画像表示装置である携帯電話機１０は、タッチパネル１０１、第１操作キー１０２及び第２操作キー１０３を備え、表示されている画像を指等でタッチされると、タッチされた箇所の座標値を特定し、タッチされている最中に第１操作キー１０２が押下されると特定した座標値に基づく拡大処理を行う。また、タッチされている最中に第２操作キー１０３が押下されると特定した座標値に基づく縮小処理を行う。【選択図】図１
2011028679.tif 000002
【特許請求の範囲】
【請求項１】
機能操作を行うための操作キーと、
タッチパネルと、
画像が表示された前記タッチパネルにおいて当該画像がタッチされている最中に、前記操作キーが操作されると当該画像のサイズの変更を行う制御手段と
を備えることを特徴とする画像表示装置。
【請求項２】
前記操作キーに対して第１の操作及び第２の操作が可能であり、
前記制御手段は、
前記画像がタッチされている最中に、前記操作キーに対して前記第１の操作がなされると当該画面の拡大を行い、前記第２の操作がなされると当該画像の縮小を行う
ことを特徴とする請求項１に記載の画像表示装置。
【請求項３】
前記画像表示装置は、さらに、
前記操作キーとは異なる操作キーを備え、
前記制御手段は、
前記画像がタッチされている最中に、前記操作キーが操作されると当該画像の拡大を行い、前記異なる操作キーが操作されると当該画像の縮小を行う
ことを特徴とする請求項１に記載の画像表示装置。
【請求項４】
前記タッチパネルは、
前記画像においてタッチされた位置を示す二次元平面上の座標値を特定し、
前記制御手段は、
前記タッチパネルが特定した座標値を中心として画像の拡大及び縮小を行う
ことを特徴とする請求項２又は請求項３に記載の画像表示装置。
【請求項５】
前記制御手段は、
画像の縮小時において、表示対象である当該画像の全体が前記タッチパネル上に表示されると、その後において当該画像に対する縮小を抑止する
ことを特徴とする請求項２又は請求項３に記載の画像表示装置。
【請求項６】
前記制御手段は、
前記タッチパネル上の画像がタッチされていない場合に前記操作キーによる操作がなされると、前記画像を拡大する機能とは異なる機能に係る処理を行う
ことを特徴とする請求項１に記載の画像表示装置。
【発明の詳細な説明】
【技術分野】
【０００１】
本発明は、タッチパネル上に表示された画像を拡大・縮小する機器に関する。
【背景技術】
【０００２】
従来、タッチパネル上にて表示されている画像を拡大する技術が開示されている。
例えば、特許文献１では、拡大指示スイッチを押圧操作し、その後、タッチパネルをタッチすることで表示されている画像を拡大し、再度拡大指示スイッチを押圧操作すると画像の拡大処理を解除する車両用ナビゲーション装置が開示されている。
【先行技術文献】
【特許文献】
【０００３】
【特許文献１】特開２００７−７８５２９号公報
【発明の概要】
【発明が解決しようとする課題】
【０００４】
特許文献１において、例えば、拡大指示スイッチを押圧操作した後、当該装置の操作とは無関係な行為（例えば、他者との会話など）に夢中になり、拡大指示スイッチを押圧操作したことを忘れて、再度押圧操作して、拡大処理を解除してしまうということが起こり得る。これは、拡大指示スイッチの押圧操作とタッチパネルをタッチする操作とが、それぞれ個別に独立した操作（２ステップの操作）に分かれているためである。そのため、タッチパネル上に表示された画像の拡大のように、画像のサイズの変更に係る操作をシームレスに行えることが望まれている。
【０００５】
そこで、本発明は、タッチパネル上に表示された画像のサイズの変更に係る操作をシームレスに行うことのできる画像表示装置を提供することを目的とする。
【課題を解決するための手段】
【０００６】
上記目的を達成するために、本発明は、画像表示装置であって、機能操作を行うための操作キーと、タッチパネルと、画像が表示された前記タッチパネルにおいて当該画像がタッチされている最中に、前記操作キーが操作されると当該画像のサイズの変更を行う制御手段とを備えることを特徴とする。
【発明の効果】
【０００７】
この構成によると、画像表示装置は、画像が表示されたタッチパネルにおいて当該画像がタッチされている最中に、操作キーが操作されると当該画像のサイズの変更を行う。そのため、画像表示装置は、タッチパネル上に表示された画像のサイズの変更に係る操作をシームレスに行うことができる。
【図面の簡単な説明】
【０００８】
【図１】携帯電話機１０におけるタッチパネルを用いた画像の拡大・縮小の操作例を説明する図である。
【図２】携帯電話機１０の主要部の構成を示すブロック図である。
【図３】携帯電話機１０における画像の拡大・縮小の操作の処理を示す流れ図である。
【図４】拡大・縮小処理時における表示画像の遷移例を示す図である。
【図５】操作キーの変形例としてシーソー型の操作キーを用いた場合の操作例を説明する図である。
【図６】操作キーの変形例としてスライド式の操作キーを用いた場合の操作例を説明する図である。
【発明を実施するための形態】
【０００９】
１．第１の実施の形態
以下、本発明に係る携帯端末装置の実施の形態としての携帯電話機について説明する。
１．１  概要
実施の形態に係る携帯電話機１０は、タッチパネル上に表示された画像の拡大・縮小を可能にしたものである。ここで、画像の概念には、デジタルカメラ等にて撮影された画像に限らず、ブラウザ等により携帯電話機１０にて表示可能なものも含むものとする。また、画面に複数の画像（画像群）が表示されている場合においては、当該画像群を一画像として扱う。
【００１０】
ここで、画像の拡大・縮小の操作例を説明する。
図１（ａ）に示すように、携帯電話機１０は、筐体１１と筐体１２とが互いにスライド可能に設けられたスライド式の携帯電話機であり、筐体１１には、スピーカ１３及びタッチパネル１０１が配置され、筐体１２には、マイク１４及びキー入力部１０４が配置され、筐体１２の側面には、第１操作キー１０２及び第２操作キーが配置されている。
【００１１】
タッチパネル１０１上には、画像が表示され、ユーザは、これらを指等でタッチすることにより各種操作を行うことができる。図１（ａ）では、タッチパネル１０１上にデジタルカメラ等で撮影された画像が表示されており、図１（ｂ）、（ｃ）にて当該画像を拡大しようとしている様子を示している。
ユーザは、タッチパネル１０１上に表示された画像を指等でタッチする（図１（ｂ）参照）。
【００１２】
画像をタッチした状態を保ったままで、第１操作キーを押下することで（図１（ｃ）参照）、表示されている画像を拡大する。
また、図示はしていないが、画像をタッチした状態を保ったままで、第２操作キーを押下することで、表示されている画像を縮小する。
１．２  構成
図２は、携帯電話機１０の主要部の機能構成を示すブロック図である。
【００１３】
携帯電話機１０は、プロセッサとメモリとを含んで構成され、機能面においては、同図に示すとおり、タッチパネル１０１、第１操作キー１０２、第２操作キー１０３、キー入力部１０４及び制御部１０５を備え、制御部１０５の機能は、上述のメモリに記憶されている制御プログラムを上述のプロセッサが実行することにより実現される。なお、同図は、本発明の特徴を実現する上で重要な各機能構成要素の関係を示しているが、スピーカ１３、マイク１４及び通信機能に係る構成要素など、携帯電話機としての機能を備えているものとする。
【００１４】
（１）タッチパネル１０１
タッチパネル１０１は、図２にて示すように、表示部１１０及び入力部１１１を備えている。
表示部１１０は、ＬＣＤ（Ｌｉｑｕｉｄ  Ｃｒｙｓｔａｌ  Ｄｉｓｐｌａｙ）を含み、画像をＬＣＤに表示する回路である。
【００１５】
なお、以下では、表示部１１０に含まれるＬＣＤの画素数（横×縦）は１５０×３００画素であるものとして説明する。
また、入力部１１１は、ユーザによるタッチを検出し、検出している間、単位時間（例えば、１／６０秒）毎に、その位置の座標値（ｘ，ｙ）を制御部１０５に送出する回路である。なお、入力部１１１は、一般的なタッチパネルで用いられている抵抗膜方式、光学式（赤外線方式）、静電容量結合式等の何れの方法で実現するものであってもよい。
【００１６】
以下では、入力部１１１は、図１（ａ）のａ点（タッチパネル１０１におけるＬＣＤの左上端）がタッチされたときには座標値（０，０）を、ｂ点（タッチパネル１０１におけるＬＣＤの右下端）がタッチされたときには座標値（１５０，３００）を制御部１０５に送出するものとする。
（２）第１操作キー１０２、第２操作キー１０３
第１操作キー１０２及び第２操作キー１０３は、当該操作キーが押下されたことを示す信号を制御部１０５へ送出することで、ユーザからの操作指示を伝えるものである。ユーザは、第１操作キー１０２及び第２操作キー１０３を押下（操作）することで、携帯電話機１０に対して操作指示を与える。
【００１７】
（３）キー入力部１０４
キー入力部１０４は、図１（ａ）にて示すように、テンキー、方向キー等の携帯電話機１０を操作するのに必要なキーを備えており、これらキーは、当該キーが押下されたことを示す信号を制御部１０５へ送出することで、ユーザからの操作指示を伝えるものである。ユーザは、携帯電話機１０に対する操作内容に応じて、これらキーを押下（操作）することで、携帯電話機１０に対して操作指示を与える。
【００１８】
（４）制御部１０５
制御部１０５は、携帯電話機１０の機能全体を制御するものである。
制御部１０５は、座標記憶部１２０と、検出部１２１と、拡大・縮小処理部１２２と、機能処理部１２３とを含んで構成されている。
（４−１）座標記憶部１２０
座標記憶部１２０は座標値を格納するための領域を有しており、入力部１１１より送出された座標値が格納される。
【００１９】
（４−２）検出部１２１
検出部１２１は、入力部１１１からの座標値を受領することでユーザによるタッチパネル１０１のタッチの有無を検出する機能と、第１操作キー１０２、第２操作キー１０３及びキー入力部１０４の操作の有無を検出する機能とを有している。
例えば、検出部１２１は、入力部１１１からの座標値を受け取った場合にはタッチパネル１０１においてタッチ状態であることを検出し、座標値を受け取らない場合にはタッチ状態ではない（以下、デタッチ状態という。）あることを検出する。
【００２０】
検出部１２１は、第１操作キー１０２、第２操作キー１０３及びキー入力部１０４に備えられたキーが押下（操作）されることで、それぞれのキー押下により制御部１０５へ出力される信号の有無によりこれらキー操作の有無を検出する。
（４−３）拡大・縮小処理部１２２
拡大・縮小処理部１２２は、座標記憶部１２０にて記憶されている座標値に基づいて、表示中の画像の拡大処理及び縮小処理を行う。ここで、座標値に基づく画像の拡大・縮小処理とは、座標値を中心として拡大・縮小を行うことである。つまり、ユーザがタッチした箇所にて表示されている一部の画像は、拡大・縮小により他の位置へ変更されない。なお、拡大・縮小処理部１２２は、表示対象の画像全体がタッチパネル１０１にて表示されない場合には、タッチパネル１０１上において移動させたい位置に指等をタッチし、タッチした指等を移動させたい方向に向けて離さずにスライドさせることで、表示対象の画像の表示位置を変更する。
【００２１】
以下、画像の拡大処理及び縮小処理について説明する。
拡大・縮小処理部１２２は、検出部１２１にてタッチパネル１０１においてタッチされていることが検出されている状態で、第１操作キー１０２が操作（押下）されたことを検出すると、座標記憶部１２０にて記憶されている座標値に基づいて表示中の画像の拡大処理を行う。このとき、拡大・縮小処理部１２２は、第１操作キー１０２が押下される毎に、表示中の画像を所定の倍率（例えば、１．２倍）に拡大して、拡大された画像を表示する。なお、上述したように、ユーザがタッチした箇所にて表示されている表示色は変更されていない。また、拡大・縮小処理部１２２は、拡大された画像のサイズが予め定められた最大サイズとなると、以降において第１操作キー１０２が押下されても拡大処理は行わない。
【００２２】
拡大・縮小処理部１２２は、検出部１２１にてタッチパネル１０１においてタッチされていることが検出されている状態で、第２操作キー１０３が操作（押下）されたことを検出すると、座標記憶部１２０にて記憶されている座標値に基づいて表示中の画像の縮小処理を行う。このとき、拡大・縮小処理部１２２は、第２操作キー１０３が押下される毎に、表示中の画像を所定の倍率（例えば、０．８倍）に縮小して、縮小された画像を表示する。なお、上述したように、ユーザがタッチした箇所における表示色は変更されていない。また、縮小の倍率によっては、座標値で示される画素における表示色と当該画素に隣接する表示色とをあわせて、当該座標位置にて示される画素にて表示する場合がある。また、拡大・縮小処理部１２２は、縮小された画像のサイズが予め定められた最適サイズとなると、以降において第２操作キー１０３が押下されると、縮小された画像の全体がタッチパネル１０１上に表示されているか否かを判断する。画像の全体がタッチパネル１０１にて表示されていると判断する場合には、拡大・縮小処理部１２２は縮小処理を行わない。また、縮小された画像の全体がタッチパネル１０１にて表示されていないと判断する場合には、拡大・縮小処理部１２２は縮小処理を行う。ここで、拡大・縮小処理部１２２が、縮小された画像の全体がタッチパネル１０１にて表示されているか否かの判断は、表示対象の画像のサイズと、画面サイズとを比較することで実現できる。また、最適サイズとは、画像を表示する際の初期サイズ、つまり拡大処理がなされる前のサイズである。
【００２３】
なお、拡大・縮小処理において、画像を表示する際に、タッチパネル１０１の画面上に余白部分ができる場合があるが、この場合、既定の色にて余白部分は表示されるものとする。
（４−４）機能処理部１２３
機能処理部１２３は、第１操作キー１０２、第２操作キー１０３及びキー入力部１０４それぞれの操作に対する機能に係る処理を行う。
【００２４】
具体的には、機能処理部１２３は、検出部１２１にてタッチパネル１０１においてタッチされていることが検出されていない状態で、第１操作キー１０２、第２操作キー１０３及びキー入力部１０４に含まれる各種キーの何れかが操作（押下）されたことを検出すると、キー操作によりユーザから与えられた操作指示に基づく機能操作を行う。例えば、第１操作キー１０２には音量を上げる操作が割り当てられ、第２操作キー１０３には音量を下げる操作が割り当てられている、つまり第１操作キー１０２及び第２操作キー１０３それぞれに異なる機能操作が割り当てられているとする。この場合、タッチパネル１０１においてタッチされていない状態で、第１操作キー１０２や第２操作キー１０３が押下されると、音量を上げる操作や下げる操作が行われる。なお、第１操作キー１０２や第２操作キー１０３に割り当てられる操作は、これに限らない。第１操作キー１０２及び第２操作キー１０３それぞれには、携帯電話機１０に対する異なる操作を割り当てられていればよい。
【００２５】
１．３  動作
ここでは、上記構成を備える携帯電話機１０の動作について、図３を用いて説明する。
図３は、画像の拡大・縮小の処理を示すフローチャートである。
タッチパネル１０１の入力部１１１は、ユーザによるタッチを検出すると（ステップＳ５）、タッチされている位置の座標値を特定する（ステップＳ１０）。入力部１１１は、特定した座標値を制御部１０５へ送出する。制御部１０５では、入力部１１１から座標値を受け取ると、受け取った座標値は座標記憶部１２０へ格納される。そして、検出部１２１では、タッチ状態であることが検出されている。
【００２６】
拡大・縮小処理部１２２は、検出部１２１において、ステップＳ５によるタッチ検出中、つまり検出部１２１にてタッチ状態を検出している最中に、検出部１２１がキー操作を検出したか否かを判断する（ステップＳ１５）。
検出部１２１が第１操作キー１０２の操作を検出したと判断する場合（ステップＳ１５における「第１操作キー」）、拡大・縮小処理部１２２は、現在表示されている画像は最大サイズにて表示されているか否かを判断する（ステップＳ２０）。
【００２７】
最大サイズにて表示されていないと判断する場合（ステップＳ２０における「Ｎｏ」）、拡大・縮小処理部１２２は、座標記憶部１２０にて記憶されている座標値に基づく拡大処理を行う（ステップＳ２５）。検出部１２１は、デタッチ状態であるか否かを検出する（ステップＳ４５）。デタッチ状態であることを検出すると（ステップＳ４５における「Ｙｅｓ」）、処理は終了する。デタッチ状態でないことを検出すると（ステップＳ４５における「Ｎｏ」）、処理はステップＳ１５へ戻る。
【００２８】
最大サイズにて表示されていると判断する場合（ステップＳ２０における「Ｙｅｓ」）、処理はステップＳ４５を実行する。
検出部１２１が第２操作キー１０３の操作を検出したと判断する場合（ステップＳ１５における「第２操作キー」）、拡大・縮小処理部１２２は、現在表示されている画像が最適サイズで表示されているか否かを判断する（ステップＳ３０）。
【００２９】
最適サイズにて表示されていないと判断する場合（ステップＳ３０における「Ｎｏ」）、拡大・縮小処理部１２２は座標記憶部１２０にて記憶されている座標値に基づく縮小処理を行い（ステップＳ４０）、その後、処理はステップＳ４５を実行する。
最適サイズにて表示されていると判断する場合（ステップＳ３０における「Ｙｅｓ」）、拡大・縮小処理部１２２は、画像全体が表示されているか否かを判断する（ステップＳ３５）。
【００３０】
画像全体が表示されていないと判断する場合（ステップＳ３５における「Ｎｏ」）、拡大・縮小処理部１２２は、座標記憶部１２０にて記憶されている座標値に基づく縮小処理を行う（ステップＳ４０）。その後、処理は、ステップＳ４５を実行する。
画像全体が表示されていると判断する場合（ステップＳ３５における「Ｙｅｓ」）、処理はステップＳ４５を実行する。
【００３１】
検出部１２１がキー入力部１０４におけるキー操作を検出したと判断する場合（ステップＳ１５における「その他のキー」）、処理はステップＳ４５を実行する。
１．４  具体例
以下、画像の拡大・縮小について具体な図面を用いて説明する。
図４（ａ）は、タッチパネル１０１上に最適サイズにてデジタルカメラにて撮影された一の画像２０１が表示されている。図４（ａ）にて画像２０１が表示されているときに、座標値２０２をタッチしながら第１操作キー１０２を押下することで、拡大処理がなされ、その結果、図４（ｂ）にて示すように画像２０１は拡大される。その後、座標値２０２をタッチしている最中に、第１操作キー１０２を押下する度に、拡大処理がなされ、図４（ｃ）から（ｄ）にて示すように、画像２０１が拡大されていく。ここで、図４（ｃ）から（ｄ）にて示す破線にて示す領域が拡大された画像のサイズであり、タッチパネル１０１の画面サイズより大きくなっていることが分かる。また、例えば、図４（ｄ）にて示される画像サイズが最大サイズであるとすると、以降において、座標値２０２をタッチしながら第１操作キー１０２を押下しても拡大処理は行われない。
【００３２】
縮小処理における表示される画面の遷移は、拡大時における遷移の逆となる。図４（ｄ）にて示す画像２０１において、座標値２０２をタッチしながら第２操作キー１０２を押下すると縮小処理がなされ、その結果、図４（ｃ）にて示すように画像２０１は縮小される。その後、座標値２０２をタッチしている最中に、第２操作キー１０３を押下する度に、縮小処理がなされ、図４（ｂ）、（ａ）にて示す順序で、画像２０１が縮小されていく。また、上述したように、図４（ａ）にて示される画像２０１のサイズは最適サイズであるので、これ以降、座標値２０２をタッチしながら第２操作キー１０３を押下しても縮小処理は行われない。
【００３３】
なお、本具体例では、一の画像が表示されている場合について説明した。しかしながら、これに限定されない。本発明は、サムネイルのように１画面に複数の画像が表示されている場合も同様の動作を行うとしてもよい。つまり、複数の画像が表示されている場合において、タッチされている箇所を中心として拡大・縮小を行ってもよい。
１．５  変形例
上記に説明した実施の形態は、本発明の実施の形態の一例であり、本発明はこの実施の形態に何ら限定されるものではなく、その旨を逸脱しない範囲において実施し得るものである。以下のような場合も本発明に含まれる。
【００３４】
（１）実施の形態において、携帯電話機１０は、スライド式の携帯電話機であるものとして説明したが、これに限定されない。折りたたみ式、ストレート式等、他の外観を有する携帯電話機であってもよい。
また、本発明に係る装置は、携帯電話機に限るものではない。画像を表示し、タッチパネルと機能操作を行うためのキーを備えている装置であればよい。
【００３５】
（２）上記実施の形態において携帯電話機１０は、タッチパネル１０１上でタッチされた箇所（座標値）を中心に拡大・縮小を行ったが、これに限定されない。
タッチした箇所に関わらず、画面の中心位置を基に拡大・縮小を行ってもよい。
または、タッチされた箇所（座標値）における表示色を画面の中心位置に移動させて、中心位置を基に拡大・縮小を行ってもよい。
【００３６】
（３）上記実施の形態において、携帯電話機１０は、タッチパネル１０１上でタッチしたまま第１操作キー１０２若しくは第２操作キー１０３が押下される度に、拡大若しくは縮小を行ったが、これに限定されない。
タッチパネル１０１上でタッチしたまま第１操作キー１０２若しくは第２操作キー１０３が押下されている期間において、拡大若しくは縮小を行ってもよい。
【００３７】
（４）上記実施の形態において、携帯電話機１０は、画像の拡大・縮小の指示を受け付ける機構として、筐体１２の側面に供えられた第１操作キー１０２及びは第２操作キー１０３を用いたが、これに限定されない。
キー入力部の備えられたキーであってもよい。
また、画像の拡大・縮小の指示を受け付ける第１操作キー１０２及びは第２操作キー１０３は、筐体１２ではなく、筐体１１に備えられていてもよい。
【００３８】
つまり、操作キーは、携帯電話機に備えられたハードウェアキーであればよい。
また、２つ以上のタッチパネル（つまり、タッチ可能な領域）をもつ場合には、以下のようにすることが可能である。一つのタッチパネル（以下、第１タッチパネル）に拡大・縮小の対象となる画像が表示され、他のタッチパネル（以下、第２タッチパネル）上には、上述した第１操作キー及び第２操作キーそれぞれに相当する第１タッチエリア及び第２タッチエリアが表示されている。この場合、第１タッチパネル上の画像をタッチしながら、第２タッチパネル上の第１タッチエリア及び第２タッチエリアを押下することで、画像の拡大・縮小を行う。
【００３９】
従って、本発明における操作キーの概念には、装置に備えられたハードウェアキー、及び画像を表示するタッチパネルとは異なるタッチパネル上に備えられたソフトウェア的なキーが含まれる。
（５）上記実施の形態において、携帯電話機１０は、画像の拡大・縮小を行う際、最大サイズ若しくは最小サイズにて表示がなされると、その後の画像の拡大・縮小は抑止するものとしたが、これに限定されない。
【００４０】
最大サイズ若しくは最小サイズにて表示がなされた後、さらに拡大若しくは縮小の指示あると、最初に表示された画像の大きさで当該画像を表示してもよいし、特定のサイズにて画像を表示してもよい。つまり、最大サイズ若しくは最小サイズにて表示がなされた後、さらに拡大若しくは縮小の指示あると、所定のサイズにて画像を表示してもよい。
（６）上記実施の形態において、画像の拡大・縮小は、それぞれに対応する個別の操作キーの押下により行われたが、これに限定されない。
【００４１】
一の操作キーの操作にて画像の拡大・縮小を行ってもよい。
当該操作キーとして、例えば、図５（ａ）にて示すシーソー型の操作キー１０２ａや図６(ａ)にて示すスライド式の操作キー１０２ｄがある。
シーソー型の操作キー１０２ａにおいては、例えば、タッチパネル１０１をタッチしている最中に、その端部１０２ｂを押下すると（図５（ｂ）参照）、画像の拡大を行う。また、タッチパネル１０１をタッチしている最中に、その端部１０２ｃを押下すると（図５（ｃ）参照）、画像の縮小を行う。
【００４２】
スライド型の操作キー１０２ｄにおいては、例えば、タッチパネル１０１をタッチしている最中に、当該操作キー１０２ｄを第１方向にスライドすると画像の拡大を行い、第２方向にスライドすると画像の縮小を行う（図６（ｂ）参照）。
（７）上記実施の形態において説明した各構成要素のうち、全部又は一部を１チップ又は複数チップの集積回路で実現してもよいし、コンピュータのプログラムで実現してもよいし、その他どのような形態で実現してもよい。
【００４３】
（８）上記実施の形態において、表示対象の画像のサイズが画面サイズより大きくなった場合、表示対象の画像の表示位置の変更については、上述した方法に限定されない。
表示対象の画像のサイズが画面サイズより大きくなると、縦及び横方向、若しくはどちらか一方向にスクロールバーを表示させて、表示したスクロールバーを操作することで、表示対象の画像の表示位置の変更を行ってもよい。例えば、表示されたスクロールバーを指等でタッチし、タッチした指等を離さずに移動させたい方向へスライドすることで、スクロールバーを操作する。
【００４４】
（９）上記実施の形態において、最適サイズは、画像を表示する際の初期サイズとしたが、これに限定されない。
最適サイズは、表示対象の画像全体がタッチパネル１０１上にて表示されるサイズとしてもよい。
（１０）上記実施の形態において、携帯電話機１０は、画像の拡大のみを行ってもよいし、縮小のみを行ってもよい。
【００４５】
つまり、携帯電話機１０は、表示された画像のサイズを変更するものであればよい。
（１１）上記実施の形態及び上記変形例をそれぞれ組み合わせるとしてもよい。
１．６  第１の実施の形態のまとめ
上記の実施の形態及び変形例にて示す携帯電話機は、従来のように拡大を指示するスイッチを押圧する操作と、タッチパネルをタッチする操作とを、それぞれ独立して行うことはないので、ユーザは、画像の拡大・縮小をシームレスに行うことができる。
【００４６】
また、上記の実施の形態及び変形例にて示す携帯電話機は、タッチされた箇所を中心として拡大・縮小を行うので、ユーザは、拡大・縮小をしたい箇所をタッチすることで、所望する箇所を中心に拡大・縮小された画像を見ることができる。
上記の実施の形態及び変形例にて示す携帯電話機は、拡大・縮小を指示する操作キーを筐体の側面に備えることで、例えば、携帯電話機を持つ手の親指でタッチパネルをタッチしながら、その手の人差し指で操作キーを押下すること、つまり、携帯電話機を持つ手（片手）のみで、画像の拡大・縮小の操作をすることができる。
【００４７】
２．まとめ
（１）本発明は、画像表示装置であって、機能操作を行うための操作キーと、タッチパネルと、画像が表示された前記タッチパネルにおいて当該画像がタッチされている最中に、前記操作キーが操作されると当該画像のサイズの変更を行う制御手段とを備えることを特徴とする。
【００４８】
この構成によると、画像表示装置は、画像が表示されたタッチパネルにおいて当該画像がタッチされている最中に、操作キーが操作されると当該画像のサイズの変更を行う。そのため、画像表示装置は、タッチパネル上に表示された画像のサイズの変更に係る操作をシームレスに行うことができる。
（２）ここで、前記操作キーに対して第１の操作及び第２の操作が可能であり、前記制御手段は、前記画像がタッチされている最中に、前記操作キーに対して前記第１の操作がなされると当該画面の拡大を行い、前記第２の操作がなされると当該画像の縮小を行うとしてもよい。
【００４９】
この構成によると、画像表示装置は、当該操作キーに対する操作に応じて画像の拡大及び縮小を行うことができる。そのため、ユーザは、タッチパネルをタッチしている最中に当該操作キーを操作することで、画像の拡大及び縮小に対する操作を容易に行うことができる。
（３）ここで、前記画像表示装置は、さらに、前記操作キーとは異なる操作キーを備え、前記制御手段は、前記画像がタッチされている最中に、前記操作キーが操作されると当該画像の拡大を行い、前記異なる操作キーが操作されると当該画像の縮小を行うとしてもよい。
【００５０】
この構成によると、画像表示装置は、画像の拡大・縮小それぞれに対して、異なる操作キーを用いている。そのため、ユーザは、押下する操作キーを切り替えることで、画像の拡大及び縮小を明示的に指示することができる
（４）ここで、前記タッチパネルは、前記画像においてタッチされた位置を示す二次元平面上の座標値を特定し、前記制御手段は、前記タッチパネルが特定した座標値を中心として画像の拡大及び縮小を行うとしてもよい。
【００５１】
この構成によると、画像表示装置は、特定した座標点を中心に画像の拡大・縮小を行うので、ユーザは、拡大・縮小をしたい箇所をタッチすることで、所望する箇所を中心に拡大・縮小された画像を見ることができる。
（５）ここで、前記制御手段は、画像の縮小時において、表示対象である当該画像の全体が前記タッチパネル上に表示されると、その後において当該画像に対する縮小を抑止するとしてもよい。
【００５２】
この構成によると、画像表示装置は、画像の縮小時において、画像全体がタッチパネル上に表示されると、以降の縮小を抑止するので、全体が表示されているにも関わらず当該画像が必要以上に縮小され、ユーザにとって見づらくなるのを防ぐことができる。
（６）ここで、前記制御手段は、前記タッチパネル上の画像がタッチされていない場合に前記操作キーによる操作がなされると、前記画像を拡大する機能とは異なる機能に係る処理を行うとしてもよい。
【００５３】
この構成によると、画像表示装置は、操作キーが操作される場合においてタッチパネルのタッチに有無により処理されるべき機能を切り替えることができる。これにより、１つの操作キーで２つの機能を割り当てることで、操作キーの増加を抑止することができる。
【産業上の利用可能性】
【００５４】
本発明に係る画像表示装置は、ユーザがタッチパネルに表示された画像の拡大・縮小の操作を行う場合に利用されうる。
【符号の説明】
【００５５】
１０    携帯電話機
１１、１２    筐体
１３    スピーカ
１４    マイク
１０１    タッチパネル
１０２    第１操作キー
１０３    第２操作キー
１０４    キー入力部
１０５    制御部
１１０    表示部
１１１    入力部
１２０    座標記憶部
１２１    検出部
１２２    拡大・縮小処理部
１２３    機能処理部
【図１】
2011028679.tif 000003
【図２】
2011028679.tif 000004
【図３】
2011028679.tif 000005
【図４】
2011028679.tif 000006
【図５】
2011028679.tif 000007
【図６】
2011028679.tif 000008